(57)【特許請求の範囲】
【請求項１】
屋内側から見た入隅部にサッシが設けられた既存建物の内装壁の改修方法であって、
前記入隅部の直交する二つの前記内装壁の屋内側の壁面のうち、
前記サッシが設けられる側の一方の前記壁面では、前記サッシが設けられる開口部領域を除いた範囲に断熱材を重ね貼りし、
前記サッシが設けられない側の他方の前記壁面では、前記サッシの周縁に設けられる内装開口枠から屋内側に離間させて断熱材を重ね貼りする、内装壁の改修方法。
【請求項２】
前記他方の壁面における前記断熱材が前記開口部領域から離間する距離は、前記一方の壁面における前記断熱材の厚さと略同一である、
請求項１に記載の内装壁の改修方法。
【請求項３】
前記他方の壁面における前記断熱材が前記開口部領域から離間する距離は、２５ｍｍ以上３００ｍｍ以下である、
請求項１に記載の内装壁の改修方法。
【請求項４】
前記他方の壁面における前記断熱材と前記開口部領域との間に形成される隙間に、前記他方の壁面における前記断熱材の厚さよりも薄い厚さの機能材を設ける、
請求項２又は３に記載の内装壁の改修方法。
【請求項５】
前記他方の壁面における前記断熱材と前記開口部領域との間に形成される隙間に、前記内装開口枠の見付け寸法よりも薄い厚さの機能材を設ける、
請求項２又は３に記載の内装壁の改修方法。
【請求項６】
前記機能材は、真空断熱材である、
請求項４又は５に記載の内装壁の改修方法。
【請求項７】
前記機能材は、蓄熱材である、
請求項４又は５に記載の内装壁の改修方法。
【請求項８】
前記機能材は、面状の発熱体である、
請求項４又は５に記載の内装壁の改修方法。
【請求項９】
機能材は、吸放湿材である、
請求項４又は５に記載の内装壁の改修方法。
【請求項１０】
前記他方の壁面における前記断熱材と前記開口部領域との間に形成される隙間に収納される窓かけを、前記サッシの屋内側に取り付ける、
請求項２又は３に記載の内装壁の改修方法。
【請求項１１】
屋内側から見た入隅部にサッシが設けられた既存建物の内装壁の改修構造であって、
前記入隅部の直交する二つの前記内装壁の屋内側の壁面のうち、
前記サッシが設けられる側の一方の前記壁面では、前記サッシが設けられる開口部領域を除いた範囲に断熱材が重ね貼りされており、
前記サッシが設けられない側の他方の前記壁面では、前記サッシの周縁に設けられる内装開口枠から屋内側に離間させて断熱材を重ね貼りする、
内装壁の改修構造。
【発明の詳細な説明】
【技術分野】
【０００１】
本発明は、既存の建物の内装壁の改修方法、及び、内装壁の改修構造に関する。
【背景技術】
【０００２】
既存の建物の内装壁の断熱性を向上させる改修工事において、内装壁の下地の解体等の大規模な工事を伴うと、工期が長く費用もかさむ。そこで、従来、比較的簡易に断熱性を向上させる改修方法として、既存の内装壁に断熱材等を重ね貼りする方法が知られている（例えば、特許文献１参照）。
【先行技術文献】
【特許文献】
【０００３】
【特許文献１】特開２０１３−１２４４９０号公報
【発明の概要】
【発明が解決しようとする課題】
【０００４】
しかしながら、上記特許文献１に記載されている改修方法では、サッシ周りの内装壁の改修方法については想定されておらず、特に、屋内側から見た入隅部に設けられたサッシ周りに断熱材等を重ね貼りする場合には、重ね貼りした断熱材等が邪魔になり、サッシの開閉の操作性が損なわれてしまうという問題がある。この問題に対し、サッシの開閉の操作性を損なわないようにサッシの位置を入隅部からずらして断熱材を重ね貼りする対応をとることも考えられるが、この場合外装工事や防水工事を含む大規模な改修工事が必要となってしまい好ましくない。
【０００５】
本発明は、サッシの開閉の操作性を損なうことなく、断熱性能を向上することができる内装壁の改修方法及び改修構造を提供することを目的とする。
【課題を解決するための手段】
【０００６】
上記課題を解決するため、本発明は、屋内側から見た入隅部にサッシが設けられた既存建物の内装壁の改修方法であって、入隅部の直交する二つの内装壁の屋内側の壁面のうち、サッシが設けられる側の一方の壁面では、サッシが設けられる開口部領域を除いた範囲に断熱材を重ね貼りし、サッシが設けられない側の他方の壁面では、開口部領域から離間させて断熱材を重ね貼りすることを特徴とする。
【０００７】
また、本発明は、屋内側から見た入隅部にサッシが設けられた既存建物の内装壁の改修構造であって、入隅部の直交する二つの内装壁の屋内側の壁面のうち、サッシが設けられる側の一方の壁面では、サッシが設けられる開口部領域を除いた範囲に断熱材が重ね貼りされており、サッシが設けられない側の他方の壁面では、開口部領域から離間させて断熱材が重ね貼りされていることを特徴とする。
【０００８】
本発明に係る内装壁の改修方法及び改修構造によれば、入隅部を構成する二つの内装壁の壁面のうち、他方の壁面に重ね貼りされた断熱材が、サッシが設けられる開口部領域から離間している。これにより、当該開口部領域の付近に断熱材が存在しない領域ができる。よって、サッシの開閉の操作を行う際に邪魔とならないように断熱材を内装壁に設けることができ、サッシの開閉の操作性を損なうことなく、断熱性能を向上することが可能となる。
【０００９】
また、他方の壁面における断熱材が開口部領域から離間する距離は、一方の壁面における断熱材の厚さと略同一であってもよい。この場合、他方の壁面に重ね貼りされた断熱材と開口部領域との間に形成された隙間に、一方の壁面に重ね貼りされる断熱材を丁度納めることができ、施工が簡単で見栄えのよい納まりとすることができる。
【００１０】
また、他方の壁面における断熱材が開口部領域から離間する距離は、２５ｍｍ以上３００ｍｍ以下であってもよい。この場合、サッシの開閉の操作性を損なうことなく、断熱性能を高める上で好適である。
【００１１】
また、他方の壁面における断熱材と開口部領域との間に形成される隙間に、他方の壁面における断熱材の厚さよりも薄い厚さの機能材を設けてもよい。この場合、断熱材と開口部領域との間に形成された隙間、すなわち開口部領域の付近に、他方の壁面に重ね貼りされた断熱材の厚さよりも薄い厚さの機能材が存在する。よって、開口部領域の付近には、サッシの開閉の操作を行う際に邪魔とならない厚さの機能材が設けられるので、サッシの開閉の操作性を損なうことなく、当該範囲の温度低下を抑制することが可能となる。なお、機能材とは、重ね貼りされた断熱材より優れた断熱性能又は異なる機能を有する部材を意味する。
【００１２】
また、他方の壁面における断熱材と開口部領域との間に形成される隙間に、サッシの周縁を囲むように設けられる内装開口枠の見付け寸法よりも薄い厚さの機能材を設けてもよい。この場合、断熱材と開口部領域との間に形成された隙間、すなわち開口部領域の付近に、サッシの周縁部に設けられた内装開口枠の見付け寸法よりも薄い厚さの機能材が存在する。よって、開口部領域の付近には、サッシの開閉の操作を行う際に邪魔とならない厚さの機能材が設けられるので、サッシの開閉の操作性を損なうことなく、当該範囲の温度低下を抑制することが可能となる。
【００１３】
また、機能材は、真空断熱材であってもよい。この場合、開口部領域の付近の温度低下を抑制するのに好適である。
【００１４】
また、機能材は、蓄熱材であってもよい。この場合、開口部領域の付近に蓄熱材が設けられるので、屋外から開口部領域を介して入射してきた太陽光の熱が蓄熱材に蓄熱され、その熱を放出することで、開口部領域の付近の温度低下を抑制することができる。
【００１５】
また、機能材は、面状の発熱体であってもよい。この場合、開口部領域の付近に面状の発熱体が設けられるので、発熱体が通電されることで温められる結果、開口部領域の付近の温度低下を抑制することができる。
【００１６】
また、機能材は、吸放湿材であってもよい。この場合、開口部領域の付近に吸放湿材が設けられるので、吸放湿材によって水分が吸着され、開口部領域の付近における結露発生を抑制することができる。
【００１７】
また、他方の壁面における断熱材と開口部領域との間に形成される隙間に収納される窓かけを、サッシの屋内側に取り付けてもよい。この場合、断熱材と開口部領域との間に形成された隙間に収納される窓かけの吸放湿性により、当該隙間、すなわち開口部領域の付近における結露発生を抑制することができる。
【発明の効果】
【００１８】
本発明によれば、サッシの開閉の操作性を損なうことなく、断熱性能を向上することができる内装壁の改修方法及び改修構造を提供することができる。
【図面の簡単な説明】
【００１９】
【図１】本発明の第１実施形態に係る改修方法によって改修された後の内装壁の一部（入隅部）を示す斜視図である。
【図２】図１における内装壁の一部を示す横断面図である。
【図３】既存建物の内装壁の一部を示す斜視図である。
【図４】本発明の第２実施形態に係る改修方法によって改修された後の内装壁の一部を示す横断面図である。
【図５】本発明の第３実施形態に係る改修方法によって改修された後の内装壁の一部（入隅部）を示す横断面図である。
【図６】本発明の第４実施形態に係る改修方法によって改修された後の内装壁の一部（入隅部）を示す斜視図である。
【発明を実施するための形態】
【００２０】
以下、添付図面を参照して、本発明の実施形態について詳細に説明する。なお、以下の説明において、同一要素又は同一機能を有する要素には、同一符号を用いることとし、重複する説明は省略する。
【００２１】
（第１実施形態）
図１〜図３に示すように、本実施形態に係る内装壁の改修方法は、屋内（室内）側から見た入隅部１０にサッシ１１が設けられた既存建物１００の内装壁５，６における断熱性能を向上させるための改修方法である。
【００２２】
まず、図３を参照して、改修前の既存建物１００について説明する。図３に示すように、本実施形態に係る既存建物１００は、既存の工業化住宅（「規格化住宅」ともいう）である。既存建物１００は、外周壁３，４と、外周壁３，４の屋内側に設けられた内装壁５，６と、を備えている。外周壁３，４としては、例えば、耐火性や断熱性、更に、作業性を考慮して軽量気泡コンクリート（ＡＬＣ）パネル等の外壁パネルが用いられる。内装壁５，６は、石膏ボード等からなり表面にクロス等で仕上げが施されている。
【００２３】
外周壁３，４と内装壁５，６との間には、内装壁下地構造７が配置されている。内装壁下地構造７は、外周壁３，４の屋内側の壁面３ａ，４ａと、内装壁５，６の屋外側の壁面５ｂ，６ｂとの間に配置される。内装壁下地構造７は、内装壁５，６を支持する木下地の他、制震フレーム、鉄骨柱、及び配管・配線のための空間等を含んで構成されている。
【００２４】
屋外側から見た出隅部２０における直交する二つの外周壁３，４のうち、一方の外周壁３には、屋内側の壁面３ａ及び屋外側の壁面３ｂを貫通する開口部Ｃ１が形成されている。この開口部Ｃ１にサッシ枠９と障子１２とを備えたサッシ１１が設置されている。サッシ１１は、引き違い窓である。障子１２の端部には、障子１２を開閉する際に手掛かりとする引手部１３が設けられている。なお、サッシ１１は、引き違い窓に限られず、例えば開閉の際に操作するロック機構が障子の端部に設けられている上げ下げ窓、たてすべり出し窓等であってもよい。
【００２５】
本実施形態において、サッシ１１は、サッシ枠９の屋内側に設けられる額縁１５（内装開口枠）を有している。額縁１５は、例えば木製であり、サッシ１１の周縁を囲むように設けられている。
【００２６】
屋内側から見た入隅部１０において直交する二つの内装壁５，６のうち、一方の内装壁５には、屋内側の壁面５ａ及び屋外側の壁面５ｂを貫通する開口部Ｃ２が形成されている。開口部Ｃ２は、外周壁３においてサッシ１１が設置された開口部Ｃ１と連通されている。開口部Ｃ２には、額縁１５が嵌め込まれている。
【００２７】
本実施形態では、サッシ１１が額縁１５を有していることにより、額縁１５を含むサッシ１１が設けられる領域が開口部領域Ｒとして構成される。なお、サッシ１１周りの納め方としては、額縁１５を用いず、内装壁５に施されたクロス等の仕上げ材をサッシ枠９の縁部まで巻き込む納め方もある。この場合には、額縁１５を含まないサッシ１１が設けられる領域が開口部領域Ｒとして構成される。
【００２８】
以上のような既存建物１００の内装壁５，６の改修方法にあっては、内装壁５，６の取り外し等を行うことなく、内装壁５，６の屋内側の壁面５ａ，６ａにそれぞれ断熱材１７，１８を増し貼りすることで断熱性能を向上させる。
【００２９】
断熱材１７，１８としては、フェノールフォーム、押出ポリスチレンフォーム（ＸＰＳ）、又は無機繊維系断熱材（グラスウール）等が用いられる。断熱材１７，１８の厚さは、例えば２５〜２００ｍｍであり、一般的には８０ｍｍ〜１００ｍｍである。
【００３０】
図１及び図２に示すように、本実施形態に係る改修方法では、入隅部１０を構成する二つの内装壁５，６のうち、サッシ１１が設けられる側の一方の内装壁５の屋内側の壁面５ａには、開口部領域Ｒを除いた部分に断熱材１７を重ね貼りする。具体的には、屋内側からサッシ１１の正面を向いたときに、額縁１５を含むサッシ１１と重ならないように、例えば壁面５ａにおける開口部Ｃ２を除いた部分に、断熱材１７を重ね貼りする。
【００３１】
サッシ１１が設けられない側の他方の内装壁６の壁面６ａでは、開口部領域Ｒから離間させて断熱材１８を重ね貼りする。例えば、少なくとも額縁１５の屋内側の見付面１５ａと、見付面１５ａと対向する断熱材１８の端面１８ａとの間に、隙間Ｓを有するように離間させて断熱材１８を重ね貼りする。なお、サッシ１１が額縁１５を有していない場合には、例えば、内装壁５の壁面５ａを含む面と当該面と対向する断熱材１８の端面１８ａとの間に隙間を有するように離間させて断熱材１８を重ね貼りする。
【００３２】
本実施形態では、内装壁６の壁面６ａにおける断熱材１８が開口部領域Ｒから離間する距離Ｄを、内装壁５の壁面５ａに重ね貼りされた断熱材１７の厚さＴ１と略同一とする。すなわち、断熱材１７の厚さＴ１と略同一の幅の隙間Ｓが、額縁１５の見付面１５ａと断熱材１８の端面１８ａとの間に形成されるように、断熱材１８を開口部領域Ｒから離間させる。なお、距離Ｄが断熱材１７の厚さＴ１と略同一であるとは、完全な同一の場合のみならず、例えば断熱材１７の厚さＴ１との差が１０％以内のものも含む。
【００３３】
上述のような改修方法によって、内装壁５，６の改修構造１が構成される。改修構造１にあっては、サッシ１１が設けられる側の一方の壁面５ａでは、サッシ１１が設けられる開口部領域Ｒを除いた範囲に断熱材１７が重ね貼りされており、サッシ１１が設けられない側の他方の壁面６ａでは、開口部領域Ｒから離間させて断熱材１８が重ね貼りされている。これにより、改修構造１では、内装壁６の壁面６ａにおける開口部領域Ｒの付近に、断熱材１８が重ね貼りされていない非重ね貼り領域Ａが形成されている。
【００３４】
断熱材１７は、内装壁５の壁面５ａにおける開口部領域Ｒを除いた範囲に重ね貼りされており、隙間Ｓに丁度納まるようにして内装壁６の壁面６ａ及び断熱材１８の端面１８ａと当接されている。
【００３５】
以上、本実施形態に係る内装壁５，６の改修方法及び改修構造１によれば、入隅部１０を構成する二つの内装壁５，６の壁面５ａ，６ａのうち、他方の壁面６ａに重ね貼りされた断熱材１８が、サッシ１１が設けられる開口部領域Ｒから離間している。これにより、当該開口部領域Ｒの付近に断熱材１８が存在しない領域である非重ね貼り領域Ａができる。よって、サッシ１１の開閉の操作を行う際に邪魔とならないように断熱材１８を内装壁６の壁面６ａに設けることができ、サッシ１１の開閉の操作性を損なうことなく、断熱性能を向上することが可能となる。
【００３６】
また、本実施形態に係る内装壁５，６の改修方法及び改修構造１によれば、他方の壁面６ａにおける断熱材１８が開口部領域Ｒから離間する距離Ｄは、一方の壁面５ａにおける断熱材１７の厚さＴ１と略同一である。よって、例えば断熱材１７を隙間Ｓに丁度納めることができ、一方の壁面５ａ及び他方の壁面６ａに重ね貼りされた各断熱材１７，１８の納まりを施工が簡単で見栄えのよい納まりとすることができる。
【００３７】
（第２実施形態）
次に、第２実施形態に係る改修方法及び改修構造について説明する。図４は、第２実施形態に係る改修方法によって改修された後の内装壁の一部を示す横断面図である。図４に示すように、第２実施形態に係る改修方法は、他方の壁面６ａにおいて断熱材１８が開口部領域Ｒから離間することで断熱材１８と開口部領域Ｒとの間に形成された隙間Ｓに、断熱材１８の厚さＴ２及び額縁１５の見付け寸法Ｗ１よりも薄い厚さＴの機能材３０を設ける点で、第１実施形態に係る改修方法とは異なる。機能材３０の厚さＴは、例えば６ｍｍ〜２０ｍｍ程度である。なお、機能材３０の厚さＴは、断熱材１８の厚さＴ２の１／２〜１／２０程度の厚さであってもよい。
【００３８】
機能材３０は、重ね貼りされた断熱材１８より優れた断熱性能又は異なる機能（熱を放出して周辺の温度低下を抑制する機能や湿気を吸収して結露を抑制する機能等）を有する部材を意味し、例えば、真空断熱材、蓄熱材、発熱体、又は吸放湿材等である。真空断熱材は、薄板で囲まれた空間を空気の対流による熱移動が無視できるレベルまで低圧にして断熱させるように構成され、断熱材１７，１８と比べて高い断熱性能を有する。なお、真空断熱材は、全表面が薄い金属系フィルムで覆われた状態で用いられてもよい。真空断熱材は、例えば５ｍｍ〜１５ｍｍ程度の厚さを有する。
【００３９】
蓄熱材は、熱を潜熱として蓄える潜熱蓄熱材である。蓄熱材は、例えばパラフィン系の潜熱蓄熱材であり、パラフィン系物質が板状の合成樹脂材料等に練り込まれ、又は塗り壁材に混入された状態で用いられる。蓄熱材は、太陽光の熱等を吸収して蓄熱する。蓄熱材は、例えば６ｍｍ〜２０ｍｍ程度の厚さを有する。
【００４０】
発熱体は、通電により発熱する薄い面状のヒータである。発熱体は、例えば１ｍｍ程度の厚さであり、９．５ｍｍ程度の厚さの石膏ボード等の下に設置される。また、発熱体は、化粧材に組み込まれた状態で取り付けられてもよい。なお、発熱体は、ヒータ付きの鏡等であってもよい。
【００４１】
吸放湿材は、吸放湿性能を有する機能材３０として用いられる。吸放湿性能とは、湿度が上がると湿気を吸収し、且つ、湿度が下がると吸い込んだ湿気を放出する性能である。吸放湿材は、例えば珪藻土又はＡＬＣの紛体等の内部に気泡を多く含み、水蒸気を吸着する表面積が大きい材料によって構成されている。吸放湿材は、６ｍｍ〜１２ｍｍ程度の厚さを有する。
【００４２】
このような改修方法によって改修された内装壁５，６の改修構造１Ｂでは、機能材３０は、断熱材１８の端面１８ａと額縁１５の見付面１５ａとの間において、内装壁６の壁面６ａ上に設けられている。すなわち、機能材３０は、壁面６ａにおける断熱材１８が重ね貼りされていない非重ね貼り領域Ａ（図２参照）に対応する領域に設けられている。
【００４３】
以上、本実施形態に係る内装壁５，６の改修方法及び改修構造１Ｂによれば、断熱材１８と開口部領域Ｒとの間に形成された隙間Ｓ、すなわち開口部領域Ｒの付近に、他方の壁面６ａに重ね貼りされた断熱材１８の厚さＴ２及び額縁１５の厚さよりも薄い厚さの機能材３０が存在する。よって、開口部領域Ｒに近接する範囲には、サッシ１１の開閉の操作を行う際に邪魔とならない厚さの機能材３０が設けられるので、サッシ１１の開閉の操作性を損なうことなく、後述のように開口部領域Ｒの付近の温度低下や結露発生を抑制することができる。
【００４４】
機能材３０が真空断熱材である場合には、開口部領域Ｒの付近の温度低下を抑制するのに好適である。機能材３０が蓄熱材である場合には、開口部領域Ｒの付近に蓄熱材が設けられるので、屋外から開口部領域Ｒを介して入射してきた太陽光の熱が蓄熱材に蓄えられ、その熱が徐々に放出されることで、開口部領域Ｒの付近の温度低下を抑制することができる。
【００４５】
機能材３０が面状の発熱体である場合には、開口部領域Ｒの付近に面状の発熱体が設けられるので、発熱体が通電されることで温められる結果、開口部領域Ｒの付近の温度低下を抑制することができる。機能材３０が吸放湿材である場合には、開口部領域Ｒの付近に吸放湿材が設けられるので、吸放湿材によって水分が吸着され、開口部領域Ｒの付近における結露発生を抑制することができる。
【００４６】
（第３実施形態）
次に、第３実施形態に係る改修方法及び改修構造について説明する。図５は、第３実施形態に係る改修方法によって改修された後の内装壁の一部（入隅部）を示す横断面図である。図５に示すように、第３実施形態に係る改修方法は、外周壁３，４に沿った内装壁５，６の改修方法ではなく、外周壁３に沿った内装壁５及び間仕切り壁としての内装壁８の改修方法である点で、第１実施形態に係る改修方法と相違する。すなわち、本実施形態では、屋内側から見た入隅部１０において直交する二つの内装壁が、外周壁３に沿った内装壁５及び間仕切り壁としての内装壁８である。
【００４７】
本実施形態に係る改修方法では、第１実施形態に係る改修方法と同様、サッシ１１が設けられる側の一方の内装壁５の屋内側の壁面５ａには、開口部領域Ｒを除いた部分に断熱材１７を重ね貼りする。サッシ１１が設けられない側の他方の内装壁８の壁面８ａでは、開口部領域Ｒから離間させて断熱材１８を重ね貼りする。内装壁８の壁面８ａにおける断熱材１８が開口部領域Ｒから離間する距離Ｄは、例えば内装壁５の壁面５ａにおける断熱材１７の厚さＴ１と略同一である。すなわち、額縁１５の見付面１５ａと、見付面１５ａと対向する断熱材１８の端面１８ａとの間に、断熱材１７の厚さＴ１と略同一の幅の隙間Ｓを有している。
【００４８】
上述のような改修方法によって、内装壁５，８の改修構造１Ｃが構成される。改修構造１Ｃでは、内装壁８の壁面８ａにおける開口部領域Ｒの付近に、断熱材１８が重ね貼りされていない非重ね貼り領域Ａが形成されている。
【００４９】
以上、本実施形態に係る間仕切り壁を含む内装壁５，８の改修方法及び改修構造１Ｃにおいても、第１実施形態と同様、入隅部１０を構成する二つの内装壁５，８の壁面５ａ，８ａのうち、他方の壁面８ａに重ね貼りされた断熱材１８が、サッシ１１が設けられる開口部領域Ｒから離間している。これにより、当該開口部領域Ｒの付近に断熱材１８が存在しない領域である非重ね貼り領域Ａができる。よって、サッシ１１の開閉の操作を行う際に邪魔とならないように断熱材１８を内装壁８の壁面８ａに設けることができ、サッシ１１の開閉の操作性を損なうことなく、断熱性能を向上することが可能となる。
【００５０】
（第４実施形態）
次に、第４実施形態に係る改修方法及び改修構造について説明する。図６は、第４実施形態に係る改修方法によって改修された後の内装壁の一部（入隅部）を示す斜視図である。図６に示すように、第４実施形態に係る改修方法では、サッシ１１の屋内側に窓かけであるカーテン４０を取り付ける点で、第１実施形態に係る改修方法とは異なる。
【００５１】
本実施形態の改修方法においては、他方の壁面６ａにおける断熱材１８と開口部領域Ｒとの間に形成される隙間Ｓに収納されるカーテン４０を、サッシ１１の屋内側にカーテンレール等を介して取り付ける。カーテン４０は、吸放湿性を有している。このような改修方法によって構成された改修構造１Ｄにおいて、カーテン４０は、サッシ１１の手前（屋内側）で水平方向に開閉される。カーテン４０を開いた状態にしておく場合、カーテン４０は束ねられた状態で、断熱材１８と開口部領域Ｒとの間に形成された隙間Ｓに収納される。
【００５２】
以上、本実施形態に係る内装壁５，６の改修方法及び改修構造１Ｄにおいても、第１実施形態に係る改修方法及び改修構造１と同様、開口部領域Ｒの付近に断熱材１８が存在しない領域である非重ね貼り領域Ａができる。よって、サッシ１１の開閉の操作を行う際に邪魔とならないように断熱材１８を内装壁８の壁面８ａに設けることができ、サッシ１１の開閉の操作性を損なうことなく、断熱性能を向上することが可能となる。
【００５３】
さらに、本実施形態に係る内装壁５，６の改修方法及び改修構造１Ｄによれば、断熱材１８と開口部領域Ｒとの間に形成された隙間Ｓに収納されるカーテン４０の吸放湿性により、当該隙間Ｓ、すなわち開口部領域Ｒの付近における結露発生を抑制することができる。また、隙間Ｓを利用してカーテン４０を収納することができるので、見栄えを良くすることができる。
【００５４】
以上、本発明を実施形態に基づいて説明したが、本発明は上記の実施形態のみに限定されない。
【００５５】
上記実施形態において、内装壁６の壁面６ａにおける断熱材１８が開口部領域Ｒから離間する距離Ｄは、断熱材１７の厚さＴ１と略同一であったが、これに限られない。例えば、距離Ｄは、サッシ１１の開閉の操作の際に邪魔になることがない程度に断熱材１７の厚さＴ１よりも小さくてもよく、断熱性能を損なわない程度に断熱材１７の厚さＴ１よりも大きくてもよい。また、距離Ｄは、２５ｍｍ以上３００ｍｍ以下であってもよい。この場合、サッシの開閉の操作性を損なうことなく、断熱性能を高める上で好適である。なお、距離Ｄは、断熱性能をより高めるためには、２００ｍｍ以下が好ましく、１００ｍｍ以下が更に好ましい。
【００５６】
また、額縁１５の見付面１５ａが一方の内装壁５の壁面５ａよりも屋内側に突出している場合には、この壁面５ａに対して見付面１５ａが突出した散り寸法に応じて他方の内装壁６の壁面６ａにおける断熱材１８が開口部領域Ｒから離間する距離Ｄを決定してもよい。例えば、壁面５ａにおける断熱材１７の厚さＴ１から壁面５ａに対して見付面１５ａが突出する散り寸法を引いた長さを、他方の内装壁６の壁面６ａにおける断熱材１８が開口部領域Ｒから離間する距離Ｄとしてもよい。この場合、額縁１５の見付面１５ａが一方の内装壁５の壁面５ａに対して突出する散り寸法に応じて、他方の内装壁６の壁面６ａにおける断熱材１８が開口部領域Ｒから離間する距離Ｄ（断熱材１８と額縁１５の見付面１５ａとの間に形成される隙間Ｓ）を断熱材１７の納まりが良いものとすることが可能となる。
【００５７】
機能材３０の厚さは、断熱材１８の厚さＴ２及び額縁１５の見付け寸法Ｗ１よりも薄いとしたが、これに限られない。サッシ１１の開閉の操作性を損なわない限り、断熱材１８の厚さＴ２及び額縁１５の見付け寸法Ｗ１のいずれかと比べて厚くてもよい。
【００５８】
なお、サッシ１１は、二重サッシ又はアルミ樹脂複合断熱サッシ等としてもよい。
【符号の説明】
【００５９】
１，１Ｂ，１Ｃ，１Ｄ…改修構造、５，６，８…内装壁、５ａ，６ａ，８ａ…壁面、１０…入隅部、１１…サッシ、１５…額縁（内装開口枠）、１７，１８…断熱材、Ｔ１，Ｔ２，Ｔ…厚さ、３０…機能材、４０…カーテン（窓かけ）、１００…既存建物、Ｄ…距離、Ｒ…開口部領域、Ｓ…隙間、Ｗ１…見付け寸法。
【図１】
0006387255.tif 000002
【図２】
0006387255.tif 000003
【図３】
0006387255.tif 000004
【図４】
0006387255.tif 000005
【図５】
0006387255.tif 000006
【図６】
0006387255.tif 000007